(57)【要約】　　　（修正有）【課題】専有スペースを必要としないで、健康や美容に良い、活水化した湯・水を放出するシャワーヘッドを提供する。【解決手段】シャワーヘッド１０は、給湯・給水部からのホースに接続されるシャワーヘッドであって、基端側をジョイント部材もしくはホースに接続する筒状のグリップ１と、このグリップの先端側にあるシャワー生成ヘッド２と、グリップ内に着脱可能に装填されるカートリッジ３とから構成され、カートリッジには、少なくとも、遠赤外線を放射するセラミックス４ａ、４ｂが充填してあって、ジョイント部材もしくはホースを介して供給される湯・水がグリップからシャワー生成ヘッドに至る過程で、カートリッジを通し、遠赤外線により水分子を活水化する。【選択図】　　図２
0003098957.tif 000002
【実用新案登録請求の範囲】
【請求項１】
給湯・給水部からのホースに接続されるシャワーヘッドであって、基端側を前記ホースに接続する筒状のグリップと、このグリップの先端側にあるシャワー生成ヘッドと、前記グリップ内に着脱可能に装填されるカートリッジとから構成され、前記カートリッジには、少なくとも、遠赤外線を放射するセラミックスが充填してあって、ホースを介して供給される湯・水がグリップから前記シャワー生成ヘッドに至る過程で、前記カートリッジを通し、前記遠赤外線により水分子を活水化することを特徴とするシャワーヘッド。
【請求項２】
前記シャワー生成ヘッドは、前記グリップの先端側で着脱可能に接続される構造であり、この接続個所から前記グリップ内に前記カートリッジを装填するように構成したことを特徴とする請求項１に記載のシャワーヘッドの構造。
【請求項３】
給湯・給水部にジョイント部材を介して接続されるシャワーヘッドであって、基端側を前記ジョイント部材に接続する取付具と、該取付具の先端側に、角度自在に取り付けたシャワー生成ヘッドと、該シャワー生成ヘッド内に設けたカートリッジとから構成され、該カートリッジには、少なくとも、遠赤外線を放射するセラミックスが充填してあって、前記ジョイント部材を介して供給する湯・水を前記カートリッジに通し、前記遠赤外線により水分子を活水化することを特徴とするシャワーヘッド。
【請求項４】
給湯・給水部にジョイント部材を介して接続されるシャワーヘッドであって、基端側を前記ジョイント部材にネジで接続するためのネジ切り部を備えて形成したシャワー生成ヘッドと、該シャワー生成ヘッドの放水面側で、前記シャワー生成ヘッドから突出させて装着したカートリッジと、該カートリッジを被うキャップと、から構成され、該カートリッジには、少なくとも、遠赤外線を放射するセラミックスが充填してあって、前記ジョイント部材を介して供給する湯・水を前記カートリッジに通し、前記遠赤外線により水分子を活水化することを特徴とするシャワーヘッド。
【請求項５】
前記シャワー生成ヘッドの放水面から放水される湯・水は、その状態が噴霧状態を含み、多段式に放水量が切替えられるように形成され、その切替えを行なう操作手段が、前記放水面の外周壁に設けられていることを特徴とする請求項１ないし４のいずれか１項に記載のシャワーヘッド。
【請求項６】
前記カートリッジは、前記グリップ内に直列に配置される複数のカートリッジからなり、少なくとも、一方のカートリッジには、遠赤外線により水分子のクラスターを小さくする活水用セラミックス粒子が、他方のカートリッジには、湯・水に含まれる残留塩素を低減するためのセラミックス粒子が、それぞれ、充填されていることを特徴とする請求項１ないし５のいずれか１項に記載のシャワーヘッド。
【考案の詳細な説明】
【０００１】
【考案の属する技術分野】
本考案は、給湯・給水部からのホースに接続され、供給された湯水を活水化した上で、そのシャワーを浴びることができるように用いられるシャワーヘッドに関する。
【０００２】
【従来の技術】
シャワーを浴びる際に利用される通常のシャワーヘッドには、放出される湯・水の量や勢いが調節されるように、切替えレバーやプッシュボタンが設けられている。また、水道水から塩素を除去するために、塩素除去部材をシャワーヘッド内に収納した構成のもある。シャワーヘッドから放出される水道水などの質を向上させるために、特開２００１？１７３０５０号公報に示された浴用浄活水器は、家庭で浴用に使用する水を浄活水化する据置型の浄活水器である。その構成は、給水管を連結している浴槽給水口、給水ホース連結しているシャワー給水口、注水ホースを介して連結している注水口を備えたものであり、これら給水ホース及び注水ホースが、浴室壁面にある係止片に保持されている。この浄活水器の内部には、浄水カートリッジまたは活水カートリッジが装入されていて、この浄水カートリッジには、活性炭等の濾過材が充填されており、浄活水器本体に導入された原水を濾過して水道水の異臭や残留塩素、トリハロメタン等の有害物質、鉄錆、ゴム屑、微細な砂、金属片等の異物を除去する機能を発揮できる。また、活水カートリッジに、鉱物砕片が充填して、浄活水器本体に導入された原水にミネラルを溶出させる機能をさせている。しかし、この方式では浴室内で、浄活水器を設置する専有スペースが必要となる。
【０００３】
【考案が解決しようとする課題】
本考案は、専有スペースを必要としないで、健康や美容に良い、活水化した湯・水を放出するようにしたシャワーヘッドを提供する。
【０００４】
【課題を解決するための手段】
上記課題を解決するために、本考案によるシャワーヘッドは、給湯・給水部からのホースに接続されるシャワーヘッドであって、基端側を前記ホースに接続する筒状のグリップと、このグリップの先端側にあるシャワー生成ヘッドと、前記グリップ内に着脱可能に装填されるカートリッジとから構成され、前記カートリッジには、少なくとも、遠赤外線を放射するセラミックスが充填してあって、ホースを介して供給される湯・水がグリップから前記シャワー生成ヘッドに至る過程で、前記カートリッジを通し、前記遠赤外線により水分子を活水化することを特徴とする。前記シャワー生成ヘッドは、前記グリップの先端側で着脱可能に接続される構造であり、この接続個所から前記グリップ内に前記カートリッジを装填するように構成したことを特徴とする。前記カートリッジは、前記グリップ内に直列に配置される複数のカートリッジからなり、少なくとも、一方のカートリッジには、遠赤外線により水分子のクラスターを小さくする活水用セラミックス粒子が、他方のカートリッジには、湯・水に含まれる残留塩素を低減するためのセラミックス粒子が、それぞれ、充填されていることを特徴とする。
【０００５】
これにより、シャワーヘッドは、浄活水化のための設備として、特別な専有スペースを必要としないで、健康や美容に良い、活水化した湯・水を放出するものとなる。即ち、遠赤外線を放射するセラミックスをシャワーヘッドの内部に収納することにより、水道水（井戸水を含む）をセラミックスに接触させて活水化することができるシャワーヘッドとなる。また、シャワーヘッドで活水化された水道水は水分子のクラスターが小さいので、マイナスイオンの放出能が向上する。
【０００６】
【考案の実施の形態】
図１は、水道水（井戸水を含む）の配管先端部（給湯・給水部）に直接もしくはホースを介して取り付けられるシャワーヘッド１０（第１の実施の形態）の組み立てを示した組み立て説明図であり、図２は、組み立てられたシャワーヘッド１０を示すと共に、その内部構造を説明するために、中央から右側を断面図で示した説明図である。図２において、円で示したＡ部分は拡大して示した。これら図１および図２に示すように、本考案のシャワーヘッド１０は、手で握れるように形成したグリップ１と、放水面２ａをグリップ１に対して若干傾斜させて設けたシャワー生成ヘッド２とで外装が構成されており、グリップ１およびシャワー生成ヘッド２の内部には、セラミックス（４ａ、４ｂ）を収容したカートリッジ３を備える。グリップ１およびシャワー生成ヘッド２は、それぞれの接続箇所５が、雌・雄のねじ構造で接続可能に形成され、その接続個所にはシールパッキング８が装着されている。
【０００７】
カートリッジ３は、その前後（水道水の導水口および送出口）が網状に形成されており、また、グリップ１の基端側に設けられた弾性部材６と、シャワー生成ヘッド２に設けられた係合部７との間で挟み込み、接続箇所８で締め付けて設けられている。これにより、ホースを介して供給される湯・水がグリップ１からシャワー生成ヘッド２に至る過程で、カートリッジ３を通過し、カートリッジ３内部に収容されたセラミックス（４ａ、４ｂ）で活水化される。尚、グリップ１、シャワー生成ヘッド２、カートリッジ３のそれぞれの部材は、透明な合成樹脂で形成され、その内部が透けて見えるように形成されている。カートリッジ３内部に収容されるセラミックス（４ａ、４ｂ）は、遠赤外線により水分子のクラスターを小さくする活水用セラミックス４ａ、及び、水道水に含まれる残留塩素を低減するためのセラミックス４ｂとしてもよく、本実施の形態においては、活水セラミックス４ａを充填したカートリッジ３をグリップ１の基端側に装着した。
【０００８】
図３は、シャワーヘッド１０から放出される水道水が活水セラミックス４ａと接触することにより、水道水が活水化されたことを示すものである。このことは、１７Ｏ−ＮＭＲ法（酸素原子核の磁気共鳴法）により、水道水および活水化水（活水セラミックス４ａと接触することにより活水化された水）を比較して水分子集団の大きさを計測することにより確認される。その結果は、図３に示すように、水道水における１７Ｏ−ＮＭＲ線幅（クラスター）が、１００Ｈｚ（図中Ｂで示す）であったのに対し、活水化水は５５Ｈｚ（図中Ｃで示す）である。このように水分子の集団を小さくすることは、活水用セラミックス４ａによりなし得た。
【０００９】
この実施例に使用された活水セラミックス４ａは、ＳｉＯ２、Ａｌ２Ｏ３、Ｆｅ２Ｏ３、ＴｉＯ２、ＣａＯ、Ｋ２Ｏ、Ｎａ２Ｏ、ＭｇＯ、ＭｎＯ２などの無機材料から好適に選択し、燒結して球状に形成されたものである。この活水セラミックス４ａを利用して、水のクラスターを小さくすることや、水をマイナスイオン水とすることで水道水を活水化する。活水化水の効果を確認するために、シャワーヘッド１０からの流量を３．７Ｌ／分で１０秒間放水させた時のマイナスイオン濃度を計測した。その結果、最高値１０，１３０／ｃｃで、ピーク値９，５８０／ｃｃを計測した。これにより、水分子の集団を小さくして活水化した活水化水は、マイナスイオン濃度を増加させることが示される。即ち、マイナスイオン濃度の増加は自律神経を安定化させるので、身体をリラックスさせ、免疫力を高め、自然治癒力を高める等、人体の健康維持に有効な作用を及ぼすことが知られており、その意味で、健康に良いことが理解される。
【００１０】
さらに、活水セラミックス４ａは界面活性力をも向上させる。この実験は、各試料水に２％量のサラダ油（オレイン酸のトリグリセライド）を添加し、１分間撹拌した後、５分間経過させてから１Ｈ―ＮＭＲスペクトル（水素原子核の磁気共鳴法）を測定し、各試料水中に溶け込んだサラダ油の量を算出し、その結果、水に溶け込んだサラダ油の量が、普通の水道水で、６．５７ｍＭｏｌであったのに対し、活水化水では、１３．４７ｍＭｏｌとなり、約２倍のサラダ油を溶かしたことで確認された。このように、活水化水は界面活性力を向上させるので水道水が肌によく浸透し、洗い上がりがよく、汚れも良く落ち、肌への美容効果が期待できる。また、活水化水は、洗浄能力を向上させる一方、抗菌作用もあり、浴室を清潔に保つ。
【００１１】
図４は、給湯・給水部にジョイント部材を介して接続される第２の実施の形態におけるシャワーヘッド１０を示したものであり、（ａ）は平面図、（ｂ）は正面図である。これら（ａ）、（ｂ）に示すように、シャワーヘッド１０には、少なくとも活水セラミックス４ａを充填したカートリッジ３が、シャワー生成ヘッド２内に設けられ、シャワーヘッド１０の放水面２ａの外周にはゴム製の放水ノズル２ｂを突出させて設け、放水面２ａの内周には部分的に放水孔２ｃが設けられている。これにより、第１の実施の形態と同様に、湯・水が活水セラミックス４ａで活水化される。
【００１２】
図５は、図４のシャワーヘッド１０を取り付ける取付具１２を示したものである。図５の（ａ）は、その組み立てを説明する説明図であり、図５の（ｂ）はシャワー生成ヘッド２に取り付けられた状態を示した説明図である。これら（ａ）、（ｂ）に示すように、取付具１２は、湯・水を通過させる孔１２ｂを設けた球状の球状体１２ａと、ジョイント部材とネジで羅合される筒状のネジ部１２ｃとが一体成形されたものであり、シャワー生成ヘッド２側の導水口に、球状体１２ａの一部を挿入し、ジョイント部材とシャワーヘッド１０との間で、リング１３により締結されて装着される。これにより、この取付具１２は、給湯・給水部からの湯・水（図中矢印Ｄで示す）をシャワー生成ヘッド２に送り込むと同時に、シャワーヘッド１０の傾斜角度を手で自在に変えられるものである。
【００１３】
図６は、給湯・給水部にジョイント部材を介して接続される第３の実施の形態におけるシャワーヘッド１０を示したものであり、（ａ）は組立説明図、（ｂ）は平面図、（ｃ）は正面図である。この実施の形態におけるシャワーヘッド１０は、活水セラミックス４ａを収めたカートリッジ３を被うキャップ１５を設けて形成したものであるが、カートリッジ３は、シャワー生成ヘッド２から突出させて装着する。これにより、シャワー生成ヘッド２内に設けたカートリッジ３から直接放水されているかのように構成する。即ち、シャワー生成ヘッド２には、カートリッジ３を被うキャップ１５を羅合させて放水面２ａを形成するが、キャップ１５とカートリッジ３との隙間をできるだけ狭めて、活水化した湯・水が放水できるようにしたものである。
【００１４】
図７および図８は、給湯・給水部にホースを介して接続される第４、５の実施の形態におけるシャワーヘッド１０を示したものであり、それぞれ、（ａ）は平面図、（ｂ）は側面図である。この第４、５の実施の形態におけるシャワーヘッド１０は、赤外線により水分子を活水化する活水セラミックスが収められ、さらに、操作レバー１４もしくは操作回転レバー１４ａを設け、操作レバー１４もしくは操作回転レバー１４ａで、シャワー生成ヘッドの前方の外周壁を回転させて湯・水の放水量を多段式に切替えるものである。
【００１５】
放水面から放水される放水の状態は、複数の放水ノズル２ｂおよび放水孔２ｃから、細い線状にして放水する段階と、放水の状態を霧状にする段階とが切り替えられるようになっている。細い線状にして放水する際には、放水ノズル２ｂおよび放水孔２ｃの基部に網を被せ、その網を通すことにより実施できる。一方、霧状に噴霧する場合は、噴霧ノズルを、放水ノズル２ｂもしくは放水孔２ｃに取付け水微粒子を噴出させる。このように、放水される湯・水をできるだけ細かな微粒子とした場合には、空気中にマイナスイオンを発生させるので人体の健康に役立つものとなる。さらに、シャワーヘッド１０の内部には、赤外線により水分子を活水化する活水セラミックスが収められているので、空気中に多量のマイナスイオンを発生させる効果が向上する。
【００１６】
【考案の効果】
本考案は、上述したように構成されているので、水道水を活水セラミックスに接触させて活水化することができるシャワーヘッドとなる。即ち、シャワーヘッド自体が健康や美容に良い、活水化した湯・水を放出するものとなる。
このことは、活水セラミックスをシャワーヘッドの内部に収納することにより達成され、外部に活水化するための専有スペースを必要としない。
水分子のクラスターを小さくして活水化した場合、シャワーヘッドから放出された水道水は、マイナスイオンの放出能が向上したものとなる。また、シャワーヘッドは、界面活性力を向上させる活水化水を放出するので、肌によく浸透し、洗い上がりがよく汚れも良く落ちるものとなる。
【図面の簡単な説明】
【図１】第１の実施の形態におけるシャワーヘッドの組み立て説明図である。
【図２】シャワーヘッドの外装を示すと共に、その内部構造を説明する説明図である。
【図３】水道水および活水化水のクラスターを対比して示したスペクトル図である。
【図４】第２の実施の形態におけるシャワーヘッドを示したものであり、（ａ）は平面図、（ｂ）は正面図である。
【図５】シャワーヘッドを取り付ける取付具を示したものであり、（ａ）は組み立て説明図、（ｂ）は使用状態を示した説明図である。
【図６】第３の実施の形態におけるシャワーヘッドを示したものであり、（ａ）は組立説明図、（ｂ）は平面図、（ｃ）は正面図である。
【図７】第４の実施の形態におけるシャワーヘッドを示したものであり、（ａ）は平面図、（ｂ）は側面図である。
【図８】第５の実施の形態におけるシャワーヘッドを示したものであり、（ａ）は平面図、（ｂ）は側面図である。
【符号の説明】
１　グリップ
２　シャワー生成ヘッド
２ａ　放水面
２ｂ　放水ノズル
２ｃ、２ｄ　放水孔
３　カートリッジ
４ａ　活水セラミックス
４ｂ　塩素を低減するセラミックス
５　接続箇所
６　弾性部材
７　係合部
８　シールパッキング
１０　シャワーヘッド
１２　取付具
１２ａ　球状体
１２ｂ　孔
１２ｃ　ネジ部
１３　リング
１４　操作レバー
１４ａ　操作回転レバー
１５　キャップ
１６　ネジ切り部
Ａ　拡大部分を示す
Ｂ　水道水のスペクトル
Ｃ　活水化水のスペクトル
Ｄ　湯・水（流路）
【図１】
0003098957.tif 000003
【図２】
0003098957.tif 000004
【図３】
0003098957.tif 000005
【図４】
0003098957.tif 000006
【図５】
0003098957.tif 000007
【図６】
0003098957.tif 000008
【図７】
0003098957.tif 000009
【図８】
0003098957.tif 000010